(57)【要約】【課題】外部機器に搭載し得るように構成された電気音響変換器において、これを安価な構成でかつ汎用性を十分確保した上で、外部機器への搭載を精度良く行えるようにする。【解決手段】振動板１２を支持するフレーム２０を円筒状の外周面形状とし、その上端部に固着されたカバー部材２４のカバー本体２４Ａを、フレーム２０と略同一径の円筒状の外周面形状とし、その外周面の１箇所に、径方向外方へ突出する突起部２４Ｂを形成しておく。そして、このカバー部材２４をフレーム２０に固着する際、その突起部２４Ｂをフレーム２０に対して周方向の適当な角度位置に配置しておくことにより、突起部２４Ｂと各外部接続端子２２との位置関係を、周方向に関して任意の位置関係に設定可能とする。これにより、突起部２４Ｂを位置決め手段として電気音響変換器１０を外部機器に搭載したとき、その各導電部１０６に各外部接続端子２２が確実に接触するようにする。【選択図】図４
2008113372.tif 000002
【特許請求の範囲】
【請求項１】
外部機器に搭載し得るように構成された電気音響変換器であって、
振動板と、この振動板の下方側に配置され、該振動板の振動を介して電気音響変換を行う変換ユニットと、上記振動板の外周縁部を支持するフレームと、上記変換ユニットを上記外部機器の導電部に導通させるための複数の外部接続端子と、上記振動板の上方側から上記フレームに固着されたカバー部材と、を備えてなる電気音響変換器において、
上記フレームが、略円筒状の外周面形状を有しており、
上記カバー部材が、上記フレームと略同一径の略円筒状の外周面形状を有するカバー本体と、このカバー本体の外周面の１箇所において径方向外方へ突出するように形成された突起部または径方向内方へ凹むように形成された凹陥部とからなる、ことを特徴とする電気音響変換器。
【請求項２】
上記電気音響変換器の上記外部機器への搭載が、該外部機器における基板への実装により行われるように構成されており、
上記各外部接続端子が、上記フレームの下端部から露出するようにして該フレームに支持されており、これら各外部接続端子を上記基板に形成された各導電部と接触させることにより、上記実装が行われるように構成されている、ことを特徴とする請求項１記載の電気音響変換器。
【請求項３】
上記カバー部材が、上記フレームに対して周方向に相対回動可能な係合構造を介して係合した状態で、該フレームに固着されている、ことを特徴とする請求項１または２記載の電気音響変換器。
【請求項４】
上記突起部が、上記カバー本体の外周面から径方向外方へ突出する本体部と、この本体部の径方向外側縁部および周方向両側縁部から下方へ延びる水平断面略コ字状の鉛直壁面部とからなる、ことを特徴とする請求項１〜３いずれか記載の電気音響変換器。
【請求項５】
上記カバー部材が、合成樹脂製の射出成形品として構成されている、ことを特徴とする請求項１〜４いずれか記載の電気音響変換器。
【請求項６】
上記電気音響変換器が、上記振動板の下面に固着されたボイスコイルと、このボイスコイルの下端部を収容する環状の磁気間隙が形成された磁気回路ユニットとを有する動電型スピーカとして構成されており、
上記カバー本体が、平面視において略円環状に形成されている、ことを特徴とする請求項１〜５いずれか記載の電気音響変換器。
【発明の詳細な説明】
【技術分野】
【０００１】
本願発明は、外部機器に搭載し得るように構成された電気音響変換器に関するものである。
【背景技術】
【０００２】
一般に、小型のマイクロホンやスピーカ等の電気音響変換器は、外部機器に搭載し得るように構成されている。その際、外部機器の基板に実装し得るように構成されたものも多い。
【０００３】
例えば「特許文献１」には、外部機器の基板の導電部との導通を図るための１対の外部接続端子を備えた丸形の電気音響変換器（すなわち、平面視における外形形状が略円形の電気音響変換器）が記載されている。
【０００４】
この「特許文献１」に記載された電気音響変換器においては、その下端面の中央部に一方の外部接続端子が配置されるとともに、その下端面の中央部から離れた位置に他方の外部接続端子が配置されている。
【０００５】
【特許文献１】特開２００１−３５９１９４号公報
【発明の開示】
【発明が解決しようとする課題】
【０００６】
上記「特許文献１」に記載された電気音響変換器は、外部機器の基板の導電部が、円形の導電部とこの導電部を囲む円環状の導電部からなる、いわゆるブルズアイ配置で形成されているような場合には、該電気音響変換器をその周方向に関してどのような角度で外部機器に搭載しても、各外部接続端子をこれに対応する各導電部と接触させることができ、これにより外部機器の基板への実装を容易に行うことが可能となる。
【０００７】
ところが一般には、外部機器の基板の導電部はブルズアイ配置では形成されていないので、この基板への実装は、電気音響変換器をその周方向に関して予め位置決めした状態で行うことが必要となる。
【０００８】
電気音響変換器の外部機器の基板への実装は、外部機器においてその基板と対向する位置にある上部ケース等に形成された保持部に、電気音響変換器を一旦預けた状態で行われることが多い。したがって、電気音響変換器の外形形状を、箱形等の円筒形以外の形状に設定しておくとともに、外部機器の保持部についても、この電気音響変換器に対応する形状にしておくようにすれば、この保持部に電気音響変換器を預けたとき、電気音響変換器をその周方向に関して位置決めすることができ、この状態で外部機器の基板への実装を行うことにより、各外部接続端子を基板の各導電部と確実に接触させることが可能となる。
【０００９】
しかしながら、このように電気音響変換器の外形形状を、箱形等の円筒形状以外の形状にした場合には、その外形形状と各外部接続端子との位置関係が一義的に決まってしまうので、基板の導電部の配置が異なる場合には、これに対応させて電気音響変換器の外形形状を各々異なったものとする必要がある。
【００１０】
このため、電気音響変換器の種類が増えてしまい、その分の金型費の負担が掛かってしまい、かつ製品管理が複雑化してしまうので、製造コストが増大してしまう、という問題があり、また、電気音響変換器として汎用性に乏しいものとなってしまう、という問題もある。
【００１１】
なお、このような問題は、電気音響変換器が外部機器の基板に実装される構成となっている場合だけでなく、電気音響変換器が該電気音響変換器から延びるリード線等を介して外部機器の導電部と導通する構成となっている場合においても、同様に生じ得る問題である。
【００１２】
本願発明は、このような事情に鑑みてなされたものであって、外部機器に搭載し得るように構成された電気音響変換器において、これを安価な構成でかつ汎用性を十分確保した上で、外部機器への搭載を精度良く行うことができる電気音響変換器を提供することを目的とするものである。
【課題を解決するための手段】
【００１３】
本願発明は、丸形の電気音響変換器を採用した上で、そのカバー部材の構成に工夫を施すことにより、上記目的達成を図るようにしたものである。
【００１４】
すなわち、本願発明に係る電気音響変換器は、
外部機器に搭載し得るように構成された電気音響変換器であって、
振動板と、この振動板の下方側に配置され、該振動板の振動を介して電気音響変換を行う変換ユニットと、上記振動板の外周縁部を支持するフレームと、上記変換ユニットを上記外部機器の導電部に導通させるための複数の外部接続端子と、上記振動板の上方側から上記フレームに固着されたカバー部材と、を備えてなる電気音響変換器において、
上記フレームが、略円筒状の外周面形状を有しており、
上記カバー部材が、上記フレームと略同一径の略円筒状の外周面形状を有するカバー本体と、このカバー本体の外周面の１箇所において径方向外方へ突出するように形成された突起部または径方向内方へ凹むように形成された凹陥部とからなる、ことを特徴とするものである。
【００１５】
上記構成において「下方側」や「上方側」等の方向性を示す用語は、電気音響変換器を構成する各部材相互間の位置関係を明確にするために便宜上用いたものであって、これにより電気音響変換器を実際に使用する際の方向性が限定されるものではない。
【００１６】
上記「電気音響変換器」は、外部機器に搭載し得るように構成されたものであれば、その種類は特に限定されるものではなく、例えば、小型のスピーカ、ブザー、マイクロホン、レシーバ等が採用可能である。
【００１７】
上記各「外部接続端子」は、変換ユニットを外部機器の各導電部に導通させるための構成を有するものであれば、その具体的な構成は特に限定されるものではなく、例えば、フレームの下端部から露出するようにして該フレームに支持された固定端子やバネ端子等、あるいはリード線等が採用可能であり、また、その具体的な設置個数についても特に限定されるものではない。
【００１８】
上記「カバー部材」を構成するカバー本体および突起部または凹陥部の具体的な形状は特に限定されるものではなく、また、この「カバー部材」の材質についても特に限定されるものではない。
【発明の効果】
【００１９】
上記構成に示すように、本願発明に係る電気音響変換器は、外部機器に搭載し得る構成となっているが、そのフレームは略円筒状の外周面形状を有しており、このフレームの上端部に固着されたカバー部材は、フレームと略同一径の略円筒状の外周面形状を有するカバー本体と、このカバー本体の外周面の１箇所において径方向外方へ突出するように形成された突起部または径方向内方へ凹むように形成された凹陥部とからなっているので、次のような作用効果を得ることができる。
【００２０】
すなわち、カバー部材をフレームに固着する際、その突起部または凹陥部をフレームに対してその周方向の適当な角度位置に配置しておくようにすれば、この突起部または凹陥部とフレームに支持された各外部接続端子との位置関係を、周方向に関して任意の位置関係に設定することができる。
【００２１】
したがって、外部機器における電気音響変換器の保持部に、上記突起部または凹陥部との係合により電気音響変換器をその周方向に関して位置決めし得る位置決め用係合部を予め形成しておくようにすれば、この保持部に電気音響変換器を預けたとき、電気音響変換器をその周方向に関して位置決めすることができる。
【００２２】
そして、電気音響変換器の外部機器への搭載が、該外部機器における基板への実装により行われる構成となっており、電気音響変換器におけるフレームの下端部から露出するようにして該フレームに支持された各外部接続端子が、上記基板に形成された各導電部と導通する構成となっている場合には、外部機器の保持部をその基板と対向する位置にある上部ケース等に形成しておくようにすれば、この保持部に電気音響変換器を預けたとき、電気音響変換器をその周方向に関して位置決めすることができ、この状態で外部機器の基板への実装を行うことができる。この実装の際に各外部接続端子と基板の各導電部とが接触するように、各導電部の配置に対応させて、カバー部材の突起部または凹陥部と各外部接続端子との位置関係を予め設定しておくようにすれば、各外部接続端子と基板の各導電部との接触を確実に行うことができる。
【００２３】
また、このような基板実装型の電気音響変換器ではなく、各外部接続端子が、電気音響変換器から延びるリード線として構成されている場合においても、外部機器の保持部に対して電気音響変換器が周方向に位置決めされるので、各リード線の長さを必要最小限の長さに抑えた上で、外部機器の各導電部との導通を図ることができる。
【００２４】
したがって、本願発明に係る電気音響変換器は、丸形の電気音響変換器として構成されているにもかかわらず、そのカバー部材の突起部または凹陥部により、外部機器の保持部に対して周方向の位置決めがなされることとなる。しかも、本願発明に係る電気音響変換器は、そのカバー部材をフレームに固着する際に、その突起部または凹陥部の周方向の角度位置を任意に設定することができるので、電気音響変換器の各構成要素を１種類揃えておけば足りることとなる。
【００２５】
このため、従来のような電気音響変換器の種類増大による金型費の負担増大を解消するとともに製品管理を簡素化して、製品コスト削減を図ることができる。また、電気音響変換器の汎用性を高めることができ、これにより色々な仕様の外部機器への搭載が可能となる。
【００２６】
このように本願発明によれば、外部機器に搭載し得るように構成された電気音響変換器において、これを安価な構成でかつ汎用性を十分確保した上で、外部機器への搭載を精度良く行うことができる。
【００２７】
また、本願発明に係る電気音響変換器は、その製造工程においても、フレームにカバー部材が固着された半製品を、そのカバー部材の突起部または凹陥部により周方向に関して位置決めした状態で、その後の組立て、捺印、検査等の作業を効率良く行うことができる。
【００２８】
上記構成において、カバー部材の具体的な構成が特に限定されないことは上述したとおりであるが、このカバー部材を、フレームに対して周方向に相対回動可能な係合構造を介して係合した状態で、フレームに固着されるように構成すれば、その固着の際、突起部または凹陥部の周方向の位置を容易かつ無段階で調整することができる。
【００２９】
上記構成において、突起部を採用した場合において、この突起部を、カバー本体の外周面から径方向外方へ突出する本体部と、この本体部の径方向外側縁部および周方向両側縁部から下方へ延びる水平断面略コ字状の鉛直壁面部とからなる構成とすれば、この突起部の把持等によるカバー部材の取扱いを容易化することができ、また、この突起部を外部機器側の保持部に形成された位置決め用係合部に対して容易に係合させることができる。
【００３０】
上記構成において、カバー部材を合成樹脂製の射出成形品として構成すれば、これを金属製のプレス成形品等として構成するようにした場合に比して、突起部または凹陥部の形状自由度を高めることができ、また、電気音響変換器が組み込まれた外部機器がアンテナを有する構成となっているような場合であっても、電波障害発生のおそれを低減させることができる。
【００３１】
上記電気音響変換器が、振動板の下面に固着されたボイスコイルと、このボイスコイルの下端部を収容する環状の磁気間隙が形成された磁気回路ユニットとを有する動電型スピーカとして構成されている場合において、そのカバー部材のカバー本体を、平面視において略円環状に形成するようにすれば、振動板の鳴動に伴う上下動により振動板がカバー部材と干渉してしまうおそれを低減させることができる。
【発明を実施するための最良の形態】
【００３２】
以下、図面を用いて、本願発明の実施の形態について説明する。
【００３３】
図１は、本願発明の一実施形態に係る電気音響変換器１０を示す平面図である。また、図２は、図１のII-II
線断面図である。
【００３４】
これらの図に示すように、本実施形態に係る電気音響変換器１０は、小型の動電型スピーカであって、外部機器（例えば携帯電話機やＩＣレコーダ等）の基板に実装し得るように構成されている。
【００３５】
この電気音響変換器１０は、丸形の電気音響変換器であって、外径１３ｍｍ程度の円形の外形形状を有する振動板１２と、この振動板１２の下面に固定されたボイスコイル１４と、このボイスコイル１４の下端部を収容する環状の磁気間隙が形成された磁気回路ユニット１６と、内周部において磁気回路ユニット１６を固定支持するとともに外周部において振動板１２の外周縁部を固定支持するフレーム２０と、このフレーム２０に取り付けられた１対の端子プレート１８と、フレーム２０の下端部から露出するようにして該フレームに支持された１対の外部接続端子２２と、振動板１２の上方側からフレーム２０に固着されたカバー部材２４とからなっている。
【００３６】
そして、この電気音響変換器１０においては、そのボイスコイル１４および磁気回路ユニット１６が、その振動板１２の振動を介して電気音響変換を行うための変換ユニットを構成している。
【００３７】
フレーム２０は、合成樹脂製の射出成形品であって、円筒状の外周面形状を有しており、その中央部には、ボイスコイル１４よりもやや大径の円形開口部２０ｂが形成されている。このフレーム２０は、円形開口部２０ｂの周囲に位置する円環状の環状部２０Ａと、この環状部２０Ａの外周縁から上方へ延びる外周フランジ部２０Ｂと、環状部２０Ａの内周縁近傍から下方へ向けて円筒状に延びる内周フランジ部２０Ｃとからなっている。
【００３８】
環状部２０Ａには、該環状部２０Ａを上下方向に貫通する複数の貫通孔２０ｈが、周方向に所定間隔をおいて形成されている。
【００３９】
外周フランジ部２０Ｂは、その上面が階段状に形成されている。すなわち、この外周フランジ部２０Ｂの上面は、その内周寄りの略半分が下段部２０ｃ、その外周側に隣接する略４分の１の部分が上段部２０ｄ、その外周側に隣接する残り略４分の１の部分が中段部２０ｅとして構成されており、その下段部２０ｃにおいて振動板１２を支持している。
【００４０】
この外周フランジ部２０Ｂの外周面２０ａは、円筒面状に形成されている。ただし、この外周面２０ａにおける手前側部分（図１において下側に位置する部分）は、僅かに直線状に面取りされた鉛直面部２０ｆとして形成されている。また、この外周フランジ部２０Ｂにおける手前側部分の左右両側には、環状部２０Ａの上面まで切り欠かれた切欠き部２０ｇが形成されており、これら各切欠き部２０ｇには接着剤２６が充填されている。
【００４１】
振動板１２は、合成樹脂製フィルムに熱プレス成形を施すことにより形成されている。この振動板１２の外周縁部には、円環状の外周縁平面部１２ａが形成されており、この外周縁平面部１２ａの内周側には、該外周縁平面部１２ａと所定間隔をおいて円環状の中間平面部１２ｂが形成されている。そして、この振動板１２における中間平面部１２ｂの内周側の部分は、上方へ向けて球面状に膨出するように形成されており、また、外周縁平面部１２ａと中間平面部１２ｂとの間の部分は、上方へ向けて円環面状に膨出するように形成されている。
【００４２】
そして、この振動板１２は、その外周縁平面部１２ａにおいてフレーム２０の外周フランジ部２０Ｂの下段部２０ｃに接着されるとともに、その中間平面部１２ｂにおいてボイスコイル１４の上端に接着されている。
【００４３】
１対の端子プレート１８は、いずれも金属板の加工品として構成されており、インサート成形によりフレーム２０と一体的に形成されている。これら各端子プレート１８は、フレーム２０の環状部２０Ａにおける外周フランジ部２０Ｂの各切欠き部２０ｇに隣接する位置において、該環状部２０Ａの上面と面一で露出するランド部１８ａを構成するとともに、外周フランジ部２０Ｂの下面と面一で露出するランド部１８ｂを構成しており、ランド部１８ｂの一部は、外周フランジ部２０Ｂの鉛直面部２０ｆから僅かに（外周面２０ａよりも外周側にはみ出さない範囲内で）突出している。
【００４４】
ボイスコイル１４は、円筒状に巻回されており、フレーム２０の円形開口部２０ｂ内に配置されている。そして、このボイスコイル１４の上端部から延出する１対のコイル端末１４ａは、１対の端子プレート１８のランド部１８ａに熱圧着により導通固定されている。
【００４５】
１対の外部接続端子２２は、いずれも金属製のコイルスプリングで構成されており、１対の端子プレート１８の近傍に配置されている。これら各外部接続端子２２は、その上端部の直線延出部２２ａにおいて各端子プレート１８のランド部１８ｂに熱圧着により導通固定されている。その際、各外部接続端子２２は、その下端部が内周フランジ部２０Ｃの下端縁から下方へある程度突出するよう、そのコイル自由長が設定されている。
【００４６】
フレーム２０における内周フランジ部２０Ｃの外周面の２箇所には、環状部２０Ａの下面から内周フランジ部２０Ｃの下端縁まで上下方向に延びる半円筒部２０Ｄが形成されており、これら各半円筒部２０Ｄに各外部接続端子２２が収容されている。そして、これら各半円筒部２０Ｄにより、各外部接続端子２２の姿勢保持を図るようになっている。
【００４７】
磁気回路ユニット１６は、鉄等の磁性材料で構成されたベース２８と、マグネット３０と、鉄等の磁性材料で構成されたヨーク３２とからなっている。
【００４８】
ベース２８は、背の低い有底円筒状に形成されている。また、マグネット３０およびヨーク３２は、いずれもディスク状に形成されており、ベース２８の底面にこの順で互いに同心となるように載置されるとともに順次接着されている。そしてこれにより、ヨーク３２の外周面とベース２８の内周面との間に、ボイスコイル１４の下端部を収容する円筒状磁気間隙を全周同一幅で形成するようになっている。
【００４９】
磁気回路ユニット１６のフレーム２０への装着は、ベース２８の上端部をフレーム２０の円形開口部２０ｂに下方から嵌合させた状態で接着することにより行われている。
【００５０】
カバー部材２４は、合成樹脂製の射出成形品であって、カバー本体２４Ａと突起部２４Ｂとからなっている。
【００５１】
カバー本体２４Ａは、平面視において円環状に形成されており、フレーム２０と略同一径（具体的にはフレーム２０よりも僅かに小さい径）の円筒状の外周面２４ａを有している。このカバー本体２４Ａは、上面が水平面状に形成されており、その円形開口部２４ｂの径は、フレーム２０の外周フランジ部２０Ｂの内径よりもやや小さい値に設定されている。
【００５２】
このカバー本体２４Ａの下面は、階段状に形成されており、その内周寄りの略半分が下段部２４ｃ、その外周側に隣接する残り半分が上段部２４ｄとして構成されている。
【００５３】
その際、このカバー本体２４Ａの下段部２４ｃの外径は、外周フランジ部２０Ｂの上段部２０ｄの内径よりも僅かに小さい値に設定されており、また、このカバー本体２４Ａの下段部２４ｃと上段部２４ｄとの段差は、外周フランジ部２０Ｂの下段部２０ｃと上段部２０ｄとの段差よりもやや小さい値に設定されている。そしてこれにより、カバー部材２４をフレーム２０に載置したとき、カバー部材２４を、フレーム２０に対して周方向に相対回動可能に係合させるようになっている。
【００５４】
カバー本体２４Ａにおける円形開口部２４ｂの周縁部は、薄肉に形成されている。そして、この周縁部の外周側に隣接する部分は、その下面が下段部２４ｃへ向けて徐々に厚肉になる円環凹曲面状に形成されている。
【００５５】
一方、突起部２４Ｂは、カバー本体２４Ａの外周面２４ａの１箇所において径方向外方へ突出する本体部２４Ｂ１と、この本体部２４Ｂ１の径方向外側縁部および周方向両側縁部から下方へ延びる水平断面略コ字状の鉛直壁面部２４Ｂ２とからなっている。
【００５６】
本体部２４Ｂ１は、カバー本体２４Ａの外周面２４ａにおける上端部近傍部位から、その下面が上段部２４ｄと面一になるようにして、０．４ｍｍ程度の肉厚で平板状に延びている。その際、この本体部２４Ｂ１の突出長および突出幅は、いずれも１．５ｍｍ程度の値に設定されている。
【００５７】
また、鉛直壁面部２４Ｂ２は、本体部２４Ｂ１と略同じ肉厚で形成されており、その高さは、フレーム２０の外周フランジ部２０Ｂの下面からその上段部２０ｄまでの高さと略同じ値に設定されている。
【００５８】
そして、この突起部２４Ｂにおける本体部２４Ｂ１と鉛直壁面部２４Ｂ２との接続部の外面には、Ｒ０．５ｍｍ程度のコーナＲがつけられている。
【００５９】
カバー部材２４の振動板１２への固着は、超音波溶着により行われるようになっている。その際、この固着に先立ち、カバー部材２４を振動板１２の上方側からフレーム２０に載置して、両者を周方向に相対回動可能に係合させた後、このカバー部材２４を必要に応じて適宜回転させ、その突起部２４Ｂが周方向の所定角度位置に配置されるようにしておき、この状態で超音波溶着を行うようになっている。
【００６０】
本実施形態に係る電気音響変換器１０は、そのカバー部材２４の突起部２４Ｂが、図１において、電気音響変換器１０の中心点Ｏに対して左側の真横に配置されるようにした状態で、カバー部材２４とフレーム２０との固着が行われている。
【００６１】
図３は、本実施形態に係る電気音響変換器１０を、外部機器１００に搭載された状態で示す、図２と同様の図であり、図４（ａ）は、その平面図である。
【００６２】
これらの図に示すように、電気音響変換器１０は、外部機器１００の基板１０２に実装されており、この基板１０２とその上方側に位置する外部機器１００の上部ケース１０４との間に配置されている。
【００６３】
基板１０２には、その上面に、電気音響変換器１０との導通を図るための１対の導電部１０６が形成されている。
【００６４】
上部ケース１０４には、放音孔１０４ａが形成されており、また、その下面には、電気音響変換器１０を保持するための保持部１０４ｂが形成されている。この保持部１０４ｂは、周方向の一部が位置決め用係合部１０４ｂ１として切り欠かれた円環状のリブとして構成されており、その内径は、フレーム２０の外径よりも僅かに大きい値に設定されている。この保持部１０４ｂに形成された位置決め用係合部１０４ｂ１の周方向の幅は、カバー部材２４の突起部２４Ｂの幅よりもやや大きい値に設定されている。
【００６５】
電気音響変換器１０におけるカバー部材２４のカバー本体２４Ａの上面には、該カバー本体２４Ａと略同じ大きさのシート状の防塵用フィルタ５０が、円環状の両面テープ５２で貼着されている。また、この防塵用フィルタ５０の上面には、電気音響変換器１０を上部ケース１０４の下面に貼着するための円環状の両面テープ５４が貼着されている。
【００６６】
電気音響変換器１０は、基板１０２に実装された状態では、その１対の外部接続端子２２が基板１０２の１対の導電部１０６の各々に押し当てられて圧縮弾性変形した状態となっている。
【００６７】
この電気音響変換器１０の実装は、電気音響変換器１０を上部ケース１０４に一旦預けた状態で、行われるようになっている。
【００６８】
この実装に先立ち、カバー部材２４のカバー本体２４Ａの上面に、防塵用フィルタ５０を両面テープ５２で貼着しておくとともに、この防塵用フィルタ５０の上面にも両面テープ５４を貼着しておく。
【００６９】
そして、この電気音響変換器１０を、上部ケース１０４の保持部１０４ｂに挿入して、両面テープ５４を上部ケース１０４の下面に押し付けることにより、上部ケース１０４に預ける。その際、カバー部材２４の突起部２４Ｂが、上部ケース１０４の位置決め用係合部１０４ｂ１に挿入されるよう、電気音響変換器１０の周方向の向きを予め調整しておく。
【００７０】
その後、この上部ケース１０４に預けられた電気音響変換器１０を、基板１０２に対して上方側から押し当てて、その実装を行う。
【００７１】
その際、電気音響変換器１０はその周方向の位置決めがなされているので、その各外部接続端子２２は基板１０２の各導電部１０６に対して確実に押し当てられることとなる。
【００７２】
以上詳述したように、本実施形態に係る電気音響変換器１０は、外部機器１００の基板１０２に実装し得る構成となっているが、そのフレーム２０は円筒状の外周面形状を有しており、このフレーム２０の上端部に固着されたカバー部材２４は、フレーム２０と略同一径の円筒状の外周面形状を有するカバー本体２４Ａと、このカバー本体２４Ａの外周面２４ａの１箇所において径方向外方へ突出するように形成された突起部２４Ｂとからなっているので、次のような作用効果を得ることができる。
【００７３】
すなわち、カバー部材２４をフレーム２０に固着する際、その突起部２４Ｂをフレーム２０に対してその周方向の適当な角度位置に配置しておくことにより、この突起部２４Ｂと各外部接続端子２２との位置関係を、周方向に関して任意の位置関係に設定することができる。
【００７４】
したがって、外部機器１００においてその基板１０２と対向する位置にある上部ケース１０４に形成された保持部１０４ｂに対して、その位置決め用係合部１０４ｂ１に突起部２４Ｂを係合させるようにして電気音響変換器１０を預けた状態で、基板１０２への実装を行うことにより、各外部接続端子２２を基板１０２の各導電部１０６に対して確実に接触させることができる。
【００７５】
このように、本実施形態に係る電気音響変換器１０は、丸形の電気音響変換器として構成されているにもかかわらず、そのカバー部材２４の突起部２４Ｂにより、外部機器１００の保持部１０４ｂに対して周方向の位置決めをすることができる。
【００７６】
しかも、本実施形態に係る電気音響変換器１０は、そのカバー部材２４をフレーム２０に固着する際に、その突起部２４Ｂの周方向の角度位置を任意に設定することができるので、電気音響変換器１０の各構成要素を１種類揃えておけば足りることとなり、したがって、従来のような電気音響変換器の種類増大による金型費負担を解消するとともに製品管理を簡素化して、製品コスト削減を図ることができる。また、電気音響変換器１０の汎用性を高めることができ、これにより色々な仕様の外部機器への搭載が可能となる。
【００７７】
例えば、外部機器１００における保持部１０４ｂの位置決め用係合部１０４ｂ１が、図４（ａ）に示すように、電気音響変換器１０の中心点Ｏに対して左側の真横ではなく、図４（ｂ）に示すように、右斜め上に位置するような場合には、カバー部材２４とフレーム２０との固着を、カバー部材２４の突起部２４Ｂが中心点Ｏに対して右斜め上に配置されるようにした状態で行うようにしておけば、その突起部２４Ｂを位置決め用係合部１０４ｂ１と係合させた状態で、電気音響変換器１０を外部機器１００の保持部１０４ｂに預けることができる。そしてこれにより、電気音響変換器１０を基板１０２に実装したとき、各外部接続端子２２を基板１０２の各導電部１０６に対して確実に接触させることができる。
【００７８】
外部機器１００における保持部１０４ｂの位置決め用係合部１０４ｂ１が、図４（ａ）、（ｂ）に示す位置以外の角度位置にある場合においても、これに対応する角度位置にカバー部材２４の突起部２４Ｂを配置して、カバー部材２４とフレーム２０との固着を行うようにすれば、電気音響変換器１０を基板１０２に実装したとき、各外部接続端子２２を基板１０２の各導電部１０６に対して確実に接触させることができる。
【００７９】
このように本実施形態によれば、外部機器の基板１０２に実装し得るように構成された電気音響変換器１０において、これを安価な構成でかつ汎用性を十分確保した上で、外部機器の基板１０２への実装を精度良く行うことができる。
【００８０】
また、本実施形態に係る電気音響変換器１０は、その製造工程においても、フレーム２０にカバー部材２４が固着された半製品を、そのカバー部材２４の突起部２４Ｂにより周方向に関して位置決めした状態で、その後の組立て、捺印、検査等の作業を効率良く行うことができる。
【００８１】
しかも、本実施形態に係る電気音響変換器１０においては、そのカバー部材２４が、フレーム２０に対して周方向に相対回動可能な係合構造を介して係合した状態で、フレーム２０に固着されるように構成されているので、その固着の際、突起部２４Ｂの周方向の位置を容易かつ無段階で調整することができる。
【００８２】
また、本実施形態に係る電気音響変換器１０においては、カバー部材２４の突起部２４Ｂが、カバー部材２４の外周面２４ａから径方向外方へ突出する本体部２４Ｂ１と、この本体部２４Ｂ１の径方向外側縁部および周方向両側縁部から下方へ延びる水平断面略コ字状の鉛直壁面部２４Ｂ２とからなっているので、この突起部２４Ｂの把持等によるカバー部材２４の取扱いを容易化することができる。しかも、この突起部２４Ｂには、その本体部２４Ｂ１と鉛直壁面部２４Ｂ２との接続部の外面にコーナＲがつけられているので、この突起部２４Ｂを外部機器１００の保持部１０４ｂに形成された位置決め用係合部１０４ｂ１に対して容易に挿入して係合させることができる。
【００８３】
さらに、本実施形態に係る電気音響変換器１０においては、カバー部材２４が合成樹脂製の射出成形品として構成されているので、その突起部２４Ｂの形状自由度を高めることができる。また、外部機器１００がアンテナを有する場合であっても、電波障害発生のおそれを低減させることができる。
【００８４】
また、本実施形態に係る電気音響変換器１０は、動電型スピーカとして構成されているが、そのカバー部材２４のカバー本体２４Ａは、平面視において円環状に形成されているので、振動板１２の鳴動に伴う上下動により振動板１２がカバー本体２４Ａと干渉してしまうおそれを低減させることができる。
【００８５】
このため、カバー部材２４の高さを低く抑えることができ、これにより電気音響変換器１０を薄型に形成することができる。
【００８６】
なお、このようにする代わりに、カバー部材２４のカバー本体２４Ａを、振動板１２全体を覆うように形成して、これに複数の小さい放音孔を形成するようにすることも可能である。
【００８７】
上記実施形態においては、カバー部材２４の突起部２４Ｂの鉛直壁面部２４Ｂ２が、水平断面略コ字状に形成されているものとして説明したが、この水平断面略コ字状以外の適当な水平断面形状（例えば、略Ｉ字状、略一字状、略Ｏ字状、略＋字状等の水平断面形状）を採用することも可能である。
【００８８】
また、上記実施形態においては、カバー部材２４の突起部２４Ｂが、カバー部材２４の外周面２４ａから径方向外方へ突出する本体部２４Ｂ１と、この本体部２４Ｂ１の径方向外側縁部および周方向両側縁部から下方へ延びる水平断面略コ字状の鉛直壁面部２４Ｂ２とからなるものとして説明したが、このようにする代わりに、鉛直壁面部２４Ｂ２が形成されていない本体部２４Ｂ１のみからなる構成とすることも可能である。
【００８９】
さらに、上記実施形態においては、カバー部材２４が、フレーム２０と略同一径の円筒状の外周面形状を有するカバー本体２４Ａと、このカバー本体２４Ａの外周面２４ａの１箇所において径方向外方へ突出するように形成された突起部２４Ｂとからなるものとして説明したが、その突起部２４Ｂの代わりに、カバー本体の外周面の１箇所において径方向内方へ凹むように形成された凹陥部を備えた構成とすることも可能である。
【００９０】
また、上記実施形態においては、カバー部材２４の振動板１２への固着が、超音波溶着により行われているものとして説明したが、これ以外の固着手段（例えば接着等）を採用することももちろん可能であり、このようにした場合においても上記実施形態と同様の作用効果を得ることが可能である。
【００９１】
さらに、上記実施形態においては、各外部接続端子２２がコイルスプリングで構成されているものとして説明したが、これ以外の端子構造（例えばプレートスプリング等）を採用することももちろん可能であり、このようにした場合においても上記実施形態と同様の作用効果を得ることが可能である。
【００９２】
あるいは、このようにする代わりに、各外部接続端子２２を、各端子プレート１８から延びるリード線（図示せず）で構成することも可能である。このようにした場合においても、外部機器１００の保持部１０４ｂに対して電気音響変換器１０が周方向に位置決めされるので、各リード線の長さを必要最小限の長さに抑えた上で、外部機器１００の各導電部（図示せず）との導通を図ることができ、これにより上記実施形態と同様の作用効果を得ることが可能である。
【００９３】
また、上記実施形態においては、電気音響変換器１０が動電型スピーカであるものとして説明したが、これ以外の電気音響変換器（例えばレシーバ等）である場合においても、上記実施形態と同様の構成を採用することにより上記実施形態と同様の作用効果を得ることが可能である。
【００９４】
なお、上記実施形態において諸元として示した数値は一例にすぎず、これらを適宜異なる値に設定してもよいことはもちろんである。
【図面の簡単な説明】
【００９５】
【図１】本願発明の一実施形態に係る電気音響変換器を示す平面図
【図２】図１のII-II 線断面図
【図３】上記電気音響変換器を、外部機器に搭載された状態で示す、図２と同様の図
【図４】上記電気音響変換器を、外部機器に搭載された状態で示す平面図（同図（ａ））、およびその変形例を示す平面図（同図（ｂ））
【符号の説明】
【００９６】
１０  電気音響変換器
１２  振動板
１２ａ  外周縁平面部
１２ｂ  中間平面部
１４  ボイスコイル
１４ａ  コイル端末
１６  磁気回路ユニット
１８  端子プレート
１８ａ、１８ｂ  ランド部
２０  フレーム
２０Ａ  環状部
２０Ｂ  外周フランジ部
２０Ｃ  内周フランジ部
２０Ｄ  半円筒部
２０ａ、２４ａ  外周面
２０ｂ、２４ｂ  円形開口部
２０ｃ、２４ｃ  下段部
２０ｄ、２４ｄ  上段部
２０ｅ  中段部
２０ｆ  鉛直面部
２０ｇ  切欠き部
２０ｈ  貫通孔
２２  外部接続端子
２２ａ  直線延出部
２４  カバー部材
２４Ａ  カバー本体
２４Ｂ  突起部
２４Ｂ１  本体部
２４Ｂ２  鉛直壁面部
２６  接着剤
２８  ベース
３０  マグネット
３２  ヨーク
５０  防塵用フィルタ
５２、５４  両面テープ
１００  外部機器
１０２  基板
１０４  上部ケース
１０４ａ  放音孔
１０４ｂ  保持部
１０４ｂ１  位置決め用係合部
１０６  導電部
Ｏ  中心点
【図１】
2008113372.tif 000003
【図２】
2008113372.tif 000004
【図３】
2008113372.tif 000005
【図４】
2008113372.tif 000006